(57)【特許請求の範囲】
【請求項１】
建物外壁から持ち出され、水平である床部と、当該床部の端部から立設された壁である立設壁部と、当該立設壁部外壁に配置されたサイディングと、前記立設壁部の上端部に備えられた手摺部と備えるバルコニーであって、
前記手摺部が、当該手摺部の下端部に配置され、前記立設壁部の上端部に取り付けられるとともに前記サイディング上端を前記立設壁部との間に挟んで固定するサイディング押えを有し、
さらに前記サイディング押えが前記サイディングの厚さ方向に移動可能な押え部材を備えることにより、前記サイディングの厚さにより前記押え部材の位置を変更して前記サイディングを挟んで固定可能であることを特徴とするバルコニー。
【請求項２】
前記サイディング押えが、
立設された棒状の部材である取付部材と、
前記押え部材に設けられ、当該押え部材の移動方向に長軸を有する長孔と、を備え、
前記取付部材が前記長孔を貫いて配置されて前記押え部材が前記長孔に沿って移動自在とされることにより、前記押え部材を前記サイディングの厚さ方向に移動可能とすることを特徴とする請求項１に記載のバルコニー。
【請求項３】
前記サイディング押えが、さらに、
前記手摺部に備えられた笠木を保持可能とする笠木押え部を有することを特徴とする請求項１又は２のいずれか一項に記載のバルコニー。
【発明の詳細な説明】
【技術分野】
【０００１】
本発明は、住宅や公共施設等の建物に備えられるバルコニーに関し、詳しくはバルコニー等の周囲に配置される立設壁の外壁に取り付けられるサイディングを、立設壁の上端部である手摺部で適切に押えて固定する手段を有するバルコニーに関する。
【背景技術】
【０００２】
バルコニーは、住宅や公共施設等の建物の使用者が室内にいるのと同様な感覚で外気や陽光に触れることができることや、建物の外観に優れている等の観点から、新築やリフォームの際に施工する例が増えてきている。
【０００３】
一方、近年における建物は、その実用的な観点にとどまらず、建物の外観を重視して外壁の材質や色調、模様等に関して様々な要望がある。かかる要望に対して、多くの種類の外壁材が提供され、需要者はその中から自分の要望に応え得る外壁材を選択できるようになってきた。
【０００４】
外壁の施工方法の１つとして、小さく形成された板状の部材を壁に沿って順次配置していく形式のいわゆるサイディングによるものがある。これにより施工容易性が向上し、外壁材のデザインの多様性にも対応できるようになった。
【０００５】
このサイディングは、上述のように小さく形成された板状の部材を組み合わせて利用されるので、その端部は、他のサイディングの端部等と係合するような構造とされており、安定して連結できるようにされている。そしてこのサイディングはバルコニーの立設壁部の外壁にも適用され、建物全体としての統一感を演出している。ここで立設壁部の上端部に配置されたサイディングは他のサイディングと係合することができないので、当該部分ではねじどめされたり、専用の取り付け部材を利用したりして固定されていた。これらサイディングの取り付け手段については、特に文献により開示されているものではないが、当業者により通常に行われている事項であり、実際のバルコニーに適用されている。
【０００６】
ところで、上述のバルコニーの立設壁部の上端部及びその上はいわゆる「手摺部」と呼ばれ、デザインによって様々な態様がある。そこで本願特許請求の範囲及び明細書では、バルコニーの立設壁部の上端部及び当該上端部より上の部位を総称して手摺部と記載する。従って必ずしも使用者がそこを手摺として利用するとは限らず、例えば図１に符号２２で示した部位も手摺部に含まれる。また、実際に利用者が手摺として利用する例えば図１に符号１２で示した部位は手摺部に備えられた「手摺」として記載する。
【発明の開示】
【発明が解決しようとする課題】
【０００７】
上述のように多種多様なサイディングが提供されるようになると、厚さ等の形状も１種類ではなく、いくつかの種類が提供されるようになってきた。特にサイディングの厚さが異なるとサイディングごとに異なる取付部材を使用せざるを得なくなり、施工者にとっては煩雑となる問題があった。また。ねじどめによって行えばサイディングごとの取付方法は同じではあるが、ねじどめ自体が煩雑な作業となり、結果的には工数のかかる作業となってしまうという問題もあった。
【０００８】
そこで、本発明はより簡易的にかつ確実に立設壁部の上端部を取り付けることができる汎用性の高い手摺部を有するバルコニーを提供することを課題とする。
【課題を解決するための手段】
【０００９】
発明者は、鋭意検討の結果、厚みの異なるサイディングに対しても共通の部材で立設壁部の上端におけるサイディングを取り付けることのできる手摺部を有するバルコニーを開発した。以下、本発明について説明する。なお、本発明の理解を容易にするために添付図面の参照符号を括弧書きにて付記するが、それにより本発明が図示の形態に限定されるものではない。
【００１０】
請求項１の発明は、建物外壁から持ち出され水平である床部と、当該床部の端部から立設された壁である立設壁部（２０、２０、２０）と、当該立設壁部外壁に配置されたサイディング（２１、２１、２１…）と、立設壁部の上端部に備えられた手摺部（１３）と備えるバルコニー（１０）であって、手摺部が当該手摺部の下端部に配置され、立設壁部の上端部取り付けられるとともにサイディング上端を立設壁部との間に挟んで固定するサイディング押え（３０）を有し、さらにサイディング押えがサイディングの厚さ方向に移動可能な押え部材（３２）を備えることにより、サイディングの厚さにより押え部材の位置を変更してサイディングを挟んで固定可能であることを特徴とするバルコニーを提供することにより前記課題を解決する。
【００１１】
請求項２の発明は、請求項１に記載のバルコニー（１０）のサイディング押え（３０）が、立設された棒状の部材である取付部材（３３）と、押え部材（３２）に設けられ、当該押え部材の移動方向に長軸を有する長孔（３２ｃ）とを備え、取付部材が長孔を貫いて配置されて押え部材が長孔に沿って移動自在とされることにより、押え部材をサイディングの厚さ方向に移動可能とすることを特徴とする。
【００１２】
請求項３の発明は、請求項１又は２のいずれか一項に記載のバルコニー（１０）のサイディング押え（３０）がさらに手摺部（１３）に備えられた笠木（２２）を保持可能とする笠木押え部（３１ａ、３１ｂ）を有することを特徴とする。
【発明の効果】
【００１３】
請求項１の発明によれば、サイディングを移動可能とされた押え部材と立設壁部との間にはさんで固定するので、異なる厚さのサイディングでも押え部材を適宜移動して使用することにより対応することができる。これにより、サイディング厚さによらず使用可能なサイディング押えを有し、簡易かつ確実に立設壁部の上端部を取り付けることができる。そして、部材の共通化を図ることができ、汎用性が向上して工数低減及びコスト削減が可能となる手摺部を備えたバルコニーを提供することができる。
【００１４】
請求項２の発明によれば、サイディング押えに備えられた押え部材をより簡易な構造で移動可能とし、施工容易性の優れたバルコニーを提供することができる。
【００１５】
請求項３の発明によれば、さらに笠木を保持する部材も備えているので、笠木の保持部材とサイディングを押える部材との両方を準備する必要がなく、部品点数を減らせるので、汎用性が向上してコスト削減及び工数低減が可能な手摺部を備えるバルコニーとすることができる。
【００１６】
本発明のこのような作用及び利得は、次に説明する発明を実施するための最良の形態から明らかにされる。
【発明を実施するための最良の形態】
【００１７】
以下本発明を図面に示す実施形態に基づき説明する。
【００１８】
図１は、本発明のバルコニー１０の外観斜視図である。図１のバルコニー１０は建物１の外壁部から持ち出される形式のバルコニーで、紙面右上側に建物１が配置され、当該建物１の外壁から紙面左下の方向に持ち出されている。バルコニー１０は、当該バルコニーの床部分を形成する底部（図１では死角となり見えない。）と、底部の建物に連接していない３辺のそれぞれから立設して配置された立設壁部２０、２０、２０と、立設壁部の上にさらに立設されたフェンス１１とを主要部として備えている。そして、立設壁部２０の外壁には、サイディング２１、２１、２１…が配置され、立設壁部２０の上端部には笠木２２が取り付けられている。また、フェンス１１の上端部には手摺１２が設置されている。上述したように、笠木２２を含めた立設壁部２０の上端部、フェンス１１及び手摺１２により手摺部１３が形成されている。
【００１９】
図２は、図１にＡで示した部位から直線矢印の方向にバルコニー１０を見た斜視図である。図２では、笠木２２及びフェンス１１を取り外した立設壁部２０の上端部及び手摺部１３の下端部を示している。手摺部１３の下端にはサイディング押え３０、３０が配置され、立設壁部２０の上端に取り付けられている。サイディング押え３０は所定の間隔で配置され、図２に示した立設壁部２０には２つのサイディング押え３０が設置されている。
【００２０】
次に、サイディング押え３０の構造及びその配置について説明する。図３は、手摺部１３の下端部に配置され、立設壁部２０の上端部に取り付けられたサイディング押え３０周辺を示した断面図である。図３では、紙面左側がバルコニー１０の建物側、紙面右がバルコニー１０の外側を示している。サイディング押え３０は、基体３１と、押え部材３２及び基体３１と押え部材３２とを連結する取付部材３３とを備えている。基体３１は、略水平に配置された平板状の部材である平板部３１ｃと、当該平板部３１ｃのバルコニー１０の内外方向両端に取付けられた笠木押え部３１ａ、３１ｂとを有している。笠木押え部３１ａ、３１ｂは、略コの字型の断面を有しており、このコの字型の断面における開口部分を下に向けて配置されている。従って、コの字型の断面における対向した２辺が鉛直方向に立てられた形態で、バルコニー１０の内外側のそれぞれに配置される。この対向した２辺のうちの一方が、平板部３１ｃの端部に取り付けられている。そして他方が、笠木押え部３１ａに関しては立設壁部２０よりバルコニー１０の建物側に、笠木押え部３１ｂに関しては立設壁部２０よりバルコニー１０の外側にそれぞれ配置されている。また、笠木押え部３１ｂの平板部３１ｃとの接合部の一部には、立設壁部２０の厚み方向に貫通した孔３１ｄが設けられている。
【００２１】
押え部材３２は、略Ｌ字型の断面を有する部材で、当該Ｌ字型の断面のうち一方の辺に相当する部位で、上述の基体３１の平板部３１ｃの上に平行に載置されるとともに孔３１ｄを貫いてバルコニー１０の外方向へ突出させて配置される摺動部３２ａと、他方の辺に相当する部位で、笠木押え部３１ｂの内側から下方へ立設壁部２０に略平行に延設される押え部３２ｂとを備えている。また、摺動部３２ａの一部には、立設壁部２０の厚さ方向に長い貫通長孔３２ｃが設けられている。
【００２２】
取付部材３３は、基材３１と押え部材３２とを連結する部材であり、このとき当該取付部材３３は長孔３２ｃの内側を通して配置される。従って押え部材３２が長孔３２ｃに沿って立設壁部２０の厚さ方向に移動可能となる。さらに取付部材３３は、上述のように押え部材３２の移動を許容する一方で、当該移動を禁止する移動禁止手段３３ａを備えている。
【００２３】
取付部材は、上述のように押え部材３２の移動を許容、禁止するための手段を有していればよく、その形態は特に限定されるものではない。本実施形態で示したバルコニー１０のサイディング押え３０の取付部材３３は、図３に示したようにボルト及びナットによって形成されている。これによってすでに市場に流通している物を取付部材として利用することができ、コスト低減が可能となる。このとき、ナットが移動禁止手段３３ａに相当し、当該ナットを緩めたり、締めたりすることにより押え部材３２の移動を許容したり禁止したりすることができる。
【００２４】
次に、同じく図３を参照しつつサイディング押え３０をバルコニー１０に取り付けたときの他の部材との関係について示す。図３に示したように、サイディング押え３０が立設壁部２０の上端部に、平板部３１ｃを接して取り付けられる。立設壁部２０はその上端に上端金具２５ａ、２５ｂを備えており、サイディング押え３０はこの上端金具２５ａ、２５ｂにより立設壁部２０の上端部に固定される。笠木２２はサイディング押え３０の全体を上から覆うように配置され、笠木押え部３１ａ、３１ｂによって固定される。フェンス１１は笠木２２の上部に備えられる。サイディング２１は、その上部を押え部材３２の押え部３２ｂと立設壁部２０の上端金具２５ａ、２５ｂとの間に挟まれて取り付けられる。このとき、立設壁部２０の芯部２３とサイディング２１との間には、空間２４が設けられて配置される。これにより空気又は水分の通路２４が確保される。
【００２５】
次に、サイディング押え３０の押え部材３２の移動について説明する。図４（ａ）は、押え部材３２がある位置に配置されている一場面を示すサイディング押え３０の断面図である。図４（ｂ）は、図４（ａ）で示した押え部材３２の位置と異なる位置に押え部材３２が配置された一場面を示すサイディング押え３０の断面図である。図４(ａ)、（ｂ）では、紙面左側がバルコニー１０の建物側、紙面右側がバルコニー１０の外側を示している。押え部材３２を図４（ａ）に示した位置から図４（ｂ）に示した位置まで移動するには、まず移動禁止手段３３ａ（以降「ナット３３ａ」と記述することがある。）を緩め、押え部材３２の移動を可能とし、押え部材３２を紙面右に移動させてからナット３３ａを締める。これにより図４（ｂ）に示した位置に押え部材３２を移動して固定することができる。ここでは、押え部材３２を紙面右方向に移動することを示したが、逆に押え部材３２を紙面左方向に移動させる場合も同じ手順で行うことができる。
【００２６】
以上のように押え部材３２を移動することにより、図４（ａ）にＢで示した距離を図４（ｂ）にＣで示した距離に変更することができる。この部位には上述のようにサイディング２１の端部が挟まれて取り付けられるので、サイディング２１の厚さに合わせて図４にＢ又はＣで示した距離を変更することができる。これにより、多種多様なサイディングに対しても１種類のサイディング押え３０で対応することができ、非常に利便性の高い手摺部を備えるバルコニー１０を提供することが可能となる。
【００２７】
図５は、図２と同様に図１にＡで示した位置から直線矢印の方向にバルコニー１０を見た斜視図である。図５では、特にバルコニー１０の角部に注目した図で、笠木２２及びフェンス１１を取り外した立設壁部２０の上端部及び手摺部１３の下端部を示している。角部における手摺部１３の下端部には角部サイディング押え４０が配置され、立設壁部２０の上端に取り付けられるとともにサイディング２１、２１を押えている。
【００２８】
次に角部サイディング押え４０の構造を説明する。図６は、角部サイディング押え４０の斜視図である。角部サイディング押え４０は、基体４１と、押え部材４２及び基体４１と押え部材４２とを連結する２つの取付部材４３、４３とを備えている。基体４１は、略水平に配置された平板状の部材である。
【００２９】
押え部材４２は、基体４１に平行に接して配置された１枚の平板である摺動部４２ａと、当該摺動部４２ａの２つの端部のそれぞれから下方に延設された２枚の平板である押え部４２ｂ、４２ｂとを有している。２枚の押え部４２ｂ、４２ｂのそれぞれが、角部を形成する一方の立設壁部２０と他方の立設壁部２０とに対応して平行となるように配置されている。さらに摺動部４２ａには２つの長孔４２ｃ、４２ｃが設けられている。長孔４２ｃ、４２ｃは、角部を形成する２つの立設壁部２０、２０に対して４５度の角度を有した方向を長手方向とした配置で並べられている。
【００３０】
２つの取付部材４３、４３は、基材４１と押え部材４２とを連結する部材であり、このとき当該取付部材４３、４３は２つの長孔４２ｃ、４２ｃのそれぞれの内側を通して配置される。従って長孔４２ｃ、４２ｃに沿って押え部材４２が移動する。長孔４２ｃ、４２ｃは、上述のように立設壁部２０、２０に対して４５度の角度を有して備えられている。よって、押え部材４２は、図６の紙面右下方向に、当該立設壁部２０、２０に対して４５の角度を保ったまま立設壁部２０、２０に近づく方向又は遠ざかる方向に移動する。また、取付部材４３は、上述のように押え部材４２の移動を許容する一方で、当該移動を禁止する移動禁止手段４３ａ、４３ａを備えている。
【００３１】
取付部材は、上述のように押え部材４２の移動を許容、禁止するための手段を有していればよく、その形態は特に限定されるものではない。本実施形態で示したバルコニー１０の角部サイディング押え４０の取付部材４３は、ボルト及びナットによって形成されている。これによってすでに市場に流通している物を取付部材として利用することができ、コストの低減が可能となる。このとき、押え部材４２の移動を許容するには、不図示のナットが移動禁止手段に相当し、当該ナットを緩めたり、締めたりすることにより行うことができる。
【００３２】
角部サイディング押え４０によるサイディング２１の固定については、図３で示したサイディング押え３０によりサイディング２１を固定する場合と同じである。角部サイディング押え４０では、上述のように２枚の向きの異なる押え部４２ｂを備えているので、立設壁部２０、２０の角部において適切に両方のサイディング２１、２１を押えて固定することができる。また、厚さの異なるサイディングに対しては上述のように押え部材４２を移動させることにより適切に押えることができる。
【００３３】
以上のように厚さの異なるサイディングに対しても角部、直線部を問わず適切に取り付けを行うことができ、汎用性が向上し、コスト及び施工性に優れたバルコニーを提供することが可能となる。また、バルコニー１０ではサイディング押え３０及び角部サイディング押え４０の両方を備えているが、必ずしも両方を備えている必要は無く、いずれか一方を備えるバルコニーであってもよい。
【００３４】
本発明のバルコニー１０に備えられたサイディング押えは、バルコニー以外の立設壁部の上端においてサイディングを適切に押えるためにも利用することが可能である。例えばベランダ等を挙げることができる。
【００３５】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うバルコニーもまた本発明の技術的範囲に包含されるものとして理解されなければならない。
【図面の簡単な説明】
【００３６】
【図１】本発明の１つの実施形態にかかるバルコニーの斜視図である。
【図２】図１にＡで示した部位からバルコニーを見た図で、笠木及びフェンスを取り除いて示した図である。
【図３】立設壁部のサイディング押えが備えられた部位の断面図である。
【図４】サイディング押えの押え部材が移動する場面を示した図である。
【図５】バルコニーの角部における立設壁部の上端を示した図で、笠木及びフェンスを取り除いて示した図である。
【図６】角部サイディング押えを示した斜視図である。
【符号の説明】
【００３７】
１  建物
１０  バルコニー
１１  フェンス
１２  手摺
１３  手摺部
２０  立設壁部
２１  サイディング
２２  笠木
２３  芯材
２４  通路
２５ａ、２５ｂ  上端金具
３０  サイディング押え
３１  基体
３１ａ  笠木押え部
３１ｂ  笠木押え部
３１ｃ  平板部
３１ｄ  孔
３２  押え部材
３２ａ  摺動部
３２ｂ  押え部
３２ｃ  長孔３２ｃ
３３  取付部材
４０  角部サイディング押え
４１  基体
４２  押え部材
４２ａ  摺動部
４２ｂ  押え部
４２ｃ  長孔
４３  取付部材
【図１】
0004723315.tif 000002
【図２】
0004723315.tif 000003
【図３】
0004723315.tif 000004
【図４】
0004723315.tif 000005
【図５】
0004723315.tif 000006
【図６】
0004723315.tif 000007